(57)【要約】      （修正有）【課題】加湿器の内部に設けれる圧電結晶体の放熱プレートの腐食を防止し、圧電結晶体の放熱を確保可能であり、且つ加湿器の超音波の発振パワーを一定に維持可能にする。【解決手段】媒質を、貯水槽１１のフィルタ１２でろ過して、圧電結晶体１４の発振によって超音波が発生している作用槽１５に送って、超音波より分子化した媒質を大気に放出される加湿器１の放熱プレート２用防食構造において、圧電結晶体の上面には、媒質と接触する放熱プレートが設けてあり、放熱プレートの媒質と接触する面に防食被覆層２１を一体に結合した。【選択図】図１
0003132995.tif 000002
【実用新案登録請求の範囲】
【請求項１】
加湿器は、主に、媒質を、貯水槽のフィルタでろ過して、圧電結晶体の発振によって超音波が発生している作用槽に送って、超音波よりした媒質が大気に放出される加湿器放熱プレート用防食構造において、
前記圧電結晶体の上面には、媒質と接触する放熱プレートが設けてあり、
前記放熱プレートの媒質との接触面には、その面の腐食を防止するための防食被覆層が結合してあることを特徴とする、
加湿器放熱プレート用防食構造。
【請求項２】
前記媒質は水であることを特徴とする、請求項１に記載の加湿器放熱プレート用防食構造。
【請求項３】
前記防食被覆層にはステンレス材を使用することを特徴とする、請求項１に記載の加湿器放熱プレート用防食構造。
【請求項４】
前記防食被覆層は、かしめにより放熱プレートと結合することを特徴とする、請求項１に記載の加湿器放熱プレート用防食構造。
【考案の詳細な説明】
【技術分野】
【０００１】
本考案は、加湿器放熱プレート用防食構造に係り、特に、加湿器の内部に設けれる圧電結晶体の放熱プレートの腐食を防止し、圧電結晶体の放熱を確保可能であり、且つ加湿器の超音波の発振パワーを一定に維持可能な加湿器放熱プレート用防食構造に関するものである。
【背景技術】
【０００２】
現在、高密封化する住宅において、冷暖房の普及に伴い室内の空気が低湿度化する傾向にある。
このような低湿度の空気が人体の健康に対して悪影響を及ぼすのを回避するために、加湿装置が使用されている。
一般的に加湿装置は、内部に貯留している水を熱で加熱し、発生した水蒸気を室内に拡散させて、室内の湿度を増加している。
【０００３】
従来の加湿装置のひとつとして、内部に貯留している水を管路を経てヒータに送り、ヒータにより水を加熱して水蒸気を発生させ、送風機により水蒸気を外部に放出し、室内に水蒸気を拡散して室内の湿度を増加する装置が知られている。
【０００４】
もう一種類の従来の加湿装置としては、超音波の発振原理を利用して、水を分子化してエアに混入する装置も知られている。
超音波は機械波に属するので、媒質がないとエネルギーは縦波の形式で外部に伝達不能である。また超音波は、圧電効果（piezoelectric effect）の電圧により圧電結晶体の大きさを変更して発振し、これにより、超音波が発生することになる。
そのため、電的エネが超音波に変換するときのパワーが大きいので、圧電結晶体で発生する大量の熱に対処するために、良好な放熱対策を講じる必要がある。
放熱対策としては、圧電結晶体の上面に放熱するための放熱プレートを設けることが一般的に行なわれている。
しかしながら、従来の放熱技術にあっては、放熱プレートを媒質と接触させる必要がある。
媒質は水や他の液体であるため、放熱プレートが水と長期間に亘って接触すると、放熱プレートに錆が発生する。錆が発生すると、放熱プレートの放熱効果が降下する。
錆の発生を回避するため、従来は放熱プレートの媒質と接触する面に、テフロン（登録商標）被膜を塗装したり、或いはめっき加工を行って対処いるが、長期間の使用に伴い、めっき層等が剥離し易いといった問題があった。
【考案の開示】
【考案が解決しようとする課題】
【０００５】
本考案の主な目的は、加湿器の内部に設けれる圧電結晶体の放熱プレートの腐食を防止し、圧電結晶体の放熱を確保可能であり、且つ加湿器の超音波の発振パワーを一定に維持可能である加湿器放熱プレート用防食構造を提供することにある。
【課題を解決するための手段】
【０００６】
上記の目的を達成するためになされた本願の第１考案は、加湿器は、主に、媒質を、貯水槽のフィルタでろ過して、圧電結晶体の発振によって超音波が発生している作用槽に送って、超音波より媒質が分子化になって大気に放出される加湿器放熱プレート用防食構造において、前記圧電結晶体の上面には、媒質と接触する放熱プレートが設けてあり、前記放熱プレートの媒質との接触面には、その面の腐食を防止するための防食被覆層が結合してあることを特徴とする加湿器放熱プレート用防食構造を提供する。
【０００７】
本願の第２考案は、前記媒質は水であることを特徴とする前記第１考案に記載の加湿器放熱プレート用防食構造であることを要旨としている。
【０００８】
本願の第３考案は、前記防食被覆層はステンレス材を使用することを特徴とする前記第１考案に記載の加湿器放熱プレート用防食構造であることを要旨としている。
【０００９】
本願の第４考案では、前記防食被覆層は、かしめにより放熱プレートと結合することを特徴とする前記第１考案に記載の加湿器放熱プレート用防食構造であることを要旨としている。
【考案の効果】
【００１０】
本考案の加湿器放熱プレート用防食構造によれば、次のような効果が得られる。
（１）圧電結晶体の上面に防食被覆層を有する放熱プレートが設けてあるので、放熱効果が強化されると共に、水と接触する放熱プレートの表面には錆が発生しなくなる。
【００１１】
（２）防食被覆層はステンレス材を使用するので、ステンレス材の防食および防錆の特性により、放熱プレートの水と接触する表面には錆が発生しなくなる。
【００１２】
（３）かしめにより防食被覆層と放熱プレートとを結合するので、防食被覆層は放熱プレートから容易に離脱しなくなる。
【考案を実施するための最良の形態】
【００１３】
以下、添付した図面を参照しながら本考案の好適な実施の形態を詳細に説明する。
【００１４】
まず、図１を参照する。図１は本考案が前提とする加湿器の全体を示す断面概略図である。
加湿器１は、主に、媒質を、貯水槽１１のフィルタ１２でろ過して、熱加湿プレート１３で加熱して、圧電結晶体１４の発振によって超音波が発生している作用槽１５に送って、超音波より分子化した媒質を大気中に放出できるようになっている。
【００１５】
また、図２と図３を参照する。図２は本考案の放熱プレート２の分解断面図であり、図３は放熱プレート２の斜視図である。
本考案の加湿器放熱プレート用防食構造は、前記圧電結晶体１４の上面には、媒質と接触する放熱プレート２が設けてある。
前記放熱プレート２の媒質との接触面には、その面の腐食を防止するための防食被覆層２１が一体に結合してある。
【００１６】
また、図２と図４を参照する。図２は放熱プレート２の分解断面図であり、図４は放熱プレート２に防食被覆層２１を一体に結合した状態の断面概略図である。
本考案の加湿器放熱プレート用防食構造にあっては、前記圧電結晶体１４が加湿器１の内部の作用槽１５の下に組み付けられる。
また、前記圧電結晶体１４と作用槽１５との間には、前記圧電結晶体１４で発生した熱を放熱するための放熱プレート２が組み付けてある。
そうすると、放熱プレート２は作用槽１５内の水（媒質）と接触するが、放熱プレート２が作用槽１５内の水（媒質）と直接接触することを回避するために、放熱プレート２の水との接触面には予め防食被覆層２１が結合してある。
したがって、前記防食被覆層２１の防食性および防錆性の特性により、放熱プレート２の水と接触する表面に錆の発生がなくなる。
前記防食被覆層２１は、例えば防食性および防錆性に優れたステンレス材を使用することができる。
また、放熱プレート２と防食被覆層２１とはかしめによって結合することができる。
【００１７】
以上の記載は実施の形態の一例を説明するための記載であって、本考案はこれらの実施の形態の記載に限定されるものではなく、当業者が本考案の精神および範囲を逸脱することなく、実施の形態の変更、追加、または、削除を施したものも本考案に含まれることは勿論である。
【図面の簡単な説明】
【００１８】
【図１】本考案の実施の形態の説明図であって、加湿器全体を示す断面概略図である。
【図２】本考案の放熱プレートと防食被覆層の分解断面図である。
【図３】本考案の放熱プレートと防食被覆層の斜視図である。
【図４】本考案の加湿器放熱プレート用防食構造の断面概略図である。
【符号の説明】
【００１９】
１        加湿器
１１      貯水槽
１２      フィルタ         
１３      熱加湿プレート
１４      圧電結晶体       
１５      作用槽
２        放熱プレート                   
２１      防食被覆層
【図１】
0003132995.tif 000003
【図２】
0003132995.tif 000004
【図３】
0003132995.tif 000005
【図４】
0003132995.tif 000006